(57)【要約】【課題】光学式記録ディスクにおいて、ランドプリピットからの同期検出を、同期パターンが誤っても、正確におこなうことで、記録位置連れの発生を防ぐ。具体的には、ｅｖｅｎ同期パターンが誤って、ｏｄｄ同期パターンに化けても、確実に記録回路同期化を行う。【解決手段】ｅｖｅｎ同期パターンがｏｄｄ同期パターン検出窓から検出された場合、同期ロックフラグをアンロックとする。１６セクタ間同期ロックフラグがロック状態を続けたとき、検出周期カウンタと記録周期カウンタを同期化させる。【選択図】  図１
2004273054.tif 000002
【特許請求の範囲】
【請求項１】
位相１で記録された第１の同期パターンと、位相２で記録された第２の同期パターンと、が一定周期でウォブリングされたトラックの所定の位相関係を有する位置に記録された記録可能な光ディスクにディジタル信号を記録する光ディスク記録装置であって、
上記位相１に対する検出窓生成手段と、
上記位相２に対する検出窓生成手段と、
同期ロックの状態を示す同期ロックフラグを生成する同期ロックフラグ生成手段と、
上記光ディスクへの記録タイミングを生成する記録タイミング生成手段と、を具備し、
上記同期ロックフラグ生成手段は、第１の同期パターンが位相１で検出されたとき、または、第２の同期パターンが位相２で検出されたとき、に同期ロックを示す同期ロックフラグを生成し、第１の同期パターンが位相２で検出されたときに同期アンロックを示す同期ロックフラグを生成し、
上記記録タイミング生成手段は、同期ロックを示す同期ロックフラグが一定期間連続して検出されたときに、該同期パターンに同期化することを特徴とする光ディスク記録装置。
【請求項２】
位相１で記録された第１の同期パターンと、位相２で記録された第２の同期パターンと、が一定周期でウォブリングされたトラックの所定の位相関係を有する位置に記録された記録可能な光ディスクにディジタル信号を記録する光ディスク記録装置であって、
上記位相１に対する検出窓生成手段と、
上記位相２に対する検出窓生成手段と、
同期ロックの状態を示す同期ロックフラグを生成する同期ロックフラグ生成手段と、
上記光ディスクへの記録タイミングを生成する記録タイミング生成手段と、を具備し、
上記同期ロックフラグ生成手段は、第１の同期パターンが位相１で検出されたとき、または、第２の同期パターンが位相２で検出されたとき、に同期ロックを示す同期ロックフラグを生成し、位相１または位相２の両位相にて同期パターンが予め定めた期間内に検出されないときに同期アンロックを示す同期ロックフラグを生成し、
上記記録タイミング生成手段は、上記同期ロックを示す同期ロックフラグが一定期間連続して検出されたときに、該同期パターンに同期化することを特徴とする光ディスク記録装置。
【請求項３】
位相１で記録された第１の同期パターンと、位相２で記録された第２の同期パターンと、が一定周期でウォブリングされたトラックの所定の位相関係を有する位置に記録された記録可能な光ディスクにディジタル信号を記録する光ディスク記録装置であって、
上記位相１に対する検出窓生成手段と、
上記位相２に対する検出窓生成手段と、
同期ロックの状態を示す同期ロックフラグを生成する同期ロックフラグ生成手段と、
上記光ディスクへの記録タイミングを生成する記録タイミング生成手段と、を具備し、
上記同期ロックフラグ生成手段は、第１の同期パターンが位相１で検出されたとき、または、第２の同期パターンが位相２で検出されたとき、に同期ロックを示す同期ロックフラグを生成し、位相１または位相２の何れでもない位相で同期パターンが検出されたときに同期アンロックを示す同期ロックフラグを生成し、
上記記録タイミング生成手段は、同期ロックを示す同期ロックフラグが一定期間連続して検出されたときに、該同期パターンに同期化することを特徴とする光ディスク記録装置。
【請求項４】
位相１で記録された第１の同期パターンと、位相２で記録された第２の同期パターンと、が一定周期でウォブリングされたトラックの所定の位相関係を有する位置に記録された記録可能な光ディスクにディジタル信号を記録する光ディスク記録装置であって、
上記位相１に対する検出窓生成手段と、
上記位相２に対する検出窓生成手段と、
同期ロックの状態を示す同期ロックフラグを生成する同期ロックフラグ生成手段と、
上記光ディスクへの記録タイミングを生成する記録タイミング生成手段と、
位相１に対する同期パターンの検出を予め定められた期間計数する計数手段と、を具備し、
上記同期ロックフラグ生成手段は、第１の同期パターンが位相１で検出されたとき、または、第２の同期パターンが位相２で検出されたとき、に同期ロックを示す同期ロックフラグを生成し、上記計数手段が予め定めた以上の値を連続してカウントしたときに同期アンロックを示す同期ロックフラグを生成し、
上記記録タイミング生成手段は、同期ロックを示す同期ロックフラグが一定期間連続して検出されたときに、該同期パターンに同期化することを特徴とする光ディスク記録装置。
【請求項５】
位相１で記録された第１の同期パターンと、位相２で記録された第２の同期パターンと、が一定周期でウォブリングされたトラックの所定の位相関係を有する位置に記録された記録可能な光ディスクにディジタル信号を記録する光ディスク記録装置であって、
一定周期をカウントし同期パターンによって同期化される検出周期カウンタと、
上記位相１に対する検出窓生成手段と、
上記位相２に対する検出窓生成手段と、
同期ロックの状態を示す同期ロックフラグを生成する同期ロックフラグ生成手段と、
上記光ディスクへの記録タイミングを生成する記録タイミング生成手段と、を具備し、
上記同期ロックフラグ生成手段は、第１の同期パターンが位相１で検出されたとき、または、第２の同期パターンが位相２で検出されたとき、に同期ロックを示す同期ロックフラグを生成し、第１の同期パターンが位相２で検出されたときに同期アンロックを示す同期ロックフラグを生成し、
上記検出周期カウンタは、同期ロックを示す同期ロックフラグが一定期間連続して検出されたときに、該同期パターンに同期化することを特徴とする光ディスク記録装置。
【請求項６】
位相１で記録された第１の同期パターンと、位相２で記録された第２の同期パターンと、が一定周期でウォブリングされたトラックの所定の位相関係を有する位置に記録された記録可能な光ディスクにディジタル信号を記録する光ディスク記録装置であって、
一定周期をカウントし同期パターンによって同期化される検出周期カウンタと、
該検出周期カウンタに基づいて位相１に対する検出窓を生成する第１の検出窓生成手段と、
前記検出周期カウンタに基づいて位相２に対する検出窓を生成する第２の検出窓生成手段と、
同期ロックの状態を示す同期ロックフラグを生成する同期ロックフラグ生成手段と、
同期ロックフラグに制御され、検出周期カウンタに同期化する記録タイミング生成手段と、を具備し、
前記同期ロックフラグ生成手段は、位相１に現れるべき同期パターンが位相２で検出されたときに、アンロック状態を示す同期ロックフラグを生成し、
同期ロックフラグが、ランドプリピットのデータによって示される一定の期間アンロックにならないときで、アクセス後、記録開始までの間に最初の１回のみ検出周期カウンタと記録タイミング生成手段を同期化することを特徴とする光ディスク記録装置。
【請求項７】
第１の同期パターンと、第２の同期パターンの２種類の同期パターンが記録された光ディスクに対し記録を行なう光ディスク記録装置であって、
前記光ディスクに対し情報を記録するレーザーと、
該レーザーを駆動するレーザー駆動手段と、
前記第１の同期パターンを検出する第１の同期パターン検出手段と、
前記第２の同期パターンを検出する第２の同期パターン検出手段と、
前記第１の同期パターンを検出するための第１の検出窓を生成する第１の検出窓生成手段と、
前記第２の同期パターンを検出するための第２の検出窓を生成する第２の検出窓生成手段と、
前記第１の検出窓内で前記第２の同期パターンを検出した場合に、同期化アンロックを示すフラグを生成する同期ロックフラグ生成手段と、
を具備することを特徴とする光ディスク記録装置。
【請求項８】
請求項７に記載の光ディスク装置であって、
前記同期ロックフラグ生成手段は、前記第１の検出窓内で前記第１の同期パターンを連続して複数回検出した場合に、同期化ロックを示すフラグを生成することを特徴とする光ディスク記録装置。
【請求項９】
請求項７または８に記載の光ディスク記録装置であって、
前記光ディスクとは、ＤＶＤ−ＲまたはＤＶＤ−ＲＷであり、
前記第１の同期パターンとは、ｏｄｄ同期パターンであり、前記第２の同期パターンとは、ｅｖｅｎ同期パターンであることを特徴とする光ディスク記録装置。
【請求項１０】
位相１で記録された第１の同期パターンと、位相２で記録された第２の同期パターンの２種類の同期パターンが記録された光ディスクに対し記録を行なう光ディスク記録装置であって、
前記光ディスクに対し情報を記録するレーザーと、
該レーザーを駆動するレーザー駆動手段と、
前記第１の同期パターンを検出する第１の同期パターン検出手段と、
前記何れかの同期パターンを検出するための検出窓を生成する検出窓生成手段と、
を具備し、
前記第１の同期パターンを位相１で連続して複数回認識した後に前記レーザを用いて前記光ディスクに対し情報を記録することを特徴とする光ディスク記録装置。
【請求項１１】
位相１で記録された第１の同期パターンと、位相２で記録された第２の同期パターンと、が一定周期でウォブリングされたトラックの所定の位相関係を有する位置に記録された記録可能な光ディスクにディジタル信号を記録する光ディスク記録方法であって、
第１の同期パターンが位相１で検出されたとき、または、第２の同期パターンが位相２で検出されたとき、に同期ロックを示す同期ロックフラグを生成し、
第１の同期パターンが位相２で検出されたときに同期アンロックを示す同期ロックフラグを生成し、
同期ロックを示す同期ロックフラグが一定期間連続して生成されたときに、該同期パターンに同期して前記光ディスクへディジタル信号を記録することを特徴とする光ディスク記録方法。
【請求項１２】
位相１で記録された第１の同期パターンと、位相２で記録された第２の同期パターンと、が一定周期でウォブリングされたトラックの所定の位相関係を有する位置に記録された記録可能な光ディスクにディジタル信号を記録する光ディスク記録方法であって、
第１の同期パターンが位相１で検出されたとき、または、第２の同期パターンが位相２で検出されたとき、に同期ロックを示す同期ロックフラグを生成し、
位相１または位相２の両位相にて同期パターンが予め定めた期間内に検出されないときに同期アンロックを示す同期ロックフラグを生成し、
同期ロックを示す同期ロックフラグが一定期間連続して生成されたときに、該同期パターンに同期して前記光ディスクへディジタル信号を記録することを特徴とする光ディスク記録方法。
【発明の詳細な説明】
【０００１】
【発明の属する技術分野】
本発明は、ＤＶＤ−Ｒ、又は、ＤＶＤ−ＲＷにデータを記録する記録装置に関し、特に、ディスク上のアドレス情報を表すために予めランドトラックに記録されているランドプリピット情報を再生し、これに従ってディスクに記録する記録装置に関する。
【０００２】
【従来の技術】
ＤＶＤ−Ｒ、ＤＶＤ−ＲＷにおけるランドプリピットの再生は以下のように行われていた。まず、情報が記録されるグルーブトラックに光ビームを照射し、その反射光からプッシュプル法によりウォブル信号を得る。このウォブル信号と所定の閾値信号を比較し、閾値信号を超える信号を抽出することにより、ウォブル信号に重畳されているランドプリピット信号を得る。
【０００３】
次に、ランドプリピット信号において、ランドプリピットが検出されないウォブル信号の５サイクル区間をカウントしたら、その直後のウォブル信号の３サイクルをカウントし、その区間でランドプリピット情報の検出を許可するゲート信号を出力する。この３サイクル中にランドプリピットが検出された場合には、最初のランドプリピット検出のタイミングからウォブル信号８サイクルを記録基準クロックによりカウントする。以後、ウォブル信号８サイクルの前側３サイクルに出現するランドプリピット信号のみを採用する。
【０００４】
ウォブル信号８サイクルのカウンタが誤ったタイミングでカウントした場合には、検出を許可するウォブル信号３サイクルのカウンタとのタイミングが一致しなくなり、ウォブル信号８サイクルのカウンタがプリセットされる。従来は以上のような方法によって検出されたランドプリピット情報に対してデコード処理を行っていた（例えば特許文献１参照）。
【０００５】
【特許文献１】
特開平１０−３４０５３６号公報
【０００６】
【発明が解決しようとする課題】
ＤＶＤ−Ｒ，ＤＶＤ−ＲＷ規格では、ランドプリピット信号は上記のように８ウォブルサイクル毎に出現するルールを持つが、詳細には連続する１６ウォブルサイクルのうち、前半８ウォブルサイクルの前側３サイクルもしくは、後半８ウォブルサイクルの前側３サイクルの何れかにランドプリピット信号が出現する。ここで前半８サイクルの前側３サイクルをｅｖｅｎ，後半８サイクルの前側３サイクルをｏｄｄと呼ぶ。また、１６×１３ウォブルサイクルをセクタと呼び、セクタの先頭１６ウォブルサイクルのｅｖｅｎ側か、ｏｄｄ側にセクタ同期信号のランドプリピット情報が出現する。
【０００７】
図７はＤＶＤ−Ｒ規格において、８サイクルのウォブルのうち前側３サイクルのプリピットパターンとそれぞれのプリピットパターンの意味を示した表である。「１１１」はｅｖｅｎ位置に記録されるｅｖｅｎ同期パターン、「１１０」はｏｄｄ位置に記録されるｏｄｄ同期パターン、「１０１」はバイナリ−コード１のデータ、「１００」はバイナリ−コード０のデータを示す。ここに示したようにｅｖｅｎ側に同期信号がある場合のランドプリピット情報は「１１１」であり、ｏｄｄ側に同期信号がある場合のランドプリピット情報は「１１０」である。ここで、ディスク記録装置がこれらの信号を読み取る際に、ノイズのある信号からランドプリピット情報を正しく検出するため、フィルタリング、スライスなどの処理を行うのが一般的である。しかし、これらの処理が行われる過程でパルスの消失は容易に発生得る。
【０００８】
すなわち、ｅｖｅｎ側の同期信号１１１の３サイクル目のパルスがノイズ等の要因で欠落した場合１１０となり、ｏｄｄ側の同期信号と同一になってしまうことがある。従って、記録装置がディスク上のｅｖｅｎの位置なのに、ｏｄｄの位置と誤認識してしまい、記録開始の位置がずれてしまうことがある。本発明の課題は、この記録開始位置ずれを防ぐことにある。
【０００９】
【課題を解決するための手段】
上記課題は、１６×１３ウォブルサイクルをカウントする検出周期カウンタを設け、ランドプリピット情報の同期信号が検出されると検出周期カウンタを同期化する、同時に同期ロックフラグをセットすることで改善される。例えばｅｖｅｎを示す同期パターンを検出した場合は、次に、１６×１３ｎ（ｎ：自然数）ウォブルサイクル後ｅｖｅｎを示す同期パターンが検出されるか、１６×１３ｎ＋１ウォブルサイクル後ｏｄｄを示す同期パターンが検出された場合は同期ロックフラグはセットされた状態を維持し、上記とは異なるタイミングでｅｖｅｎ，ｏｄｄの同期パターンが検出された場合は、検出周期カウンタを同期化すると共に、同期ロックフラグをリセットする。また、１６×１３ｍ＋１（ｍ：自然数）ウォブルサイクル以上検出されない場合も、同期ロックフラグをリセットする。そして、予め定めた一定期間、同期ロックフラグが、セットされた状態を続けたとき、別に設けた記録タイミング生成周期カウンタを検出周期カウンタによって同期化する。
【００１０】
具体的には、位相１で記録された第１の同期パターンと、位相２で記録された第２の同期パターンと、が一定周期でウォブリングされたトラックの所定の位相関係を有する位置に記録された記録可能な光ディスクにディジタル信号を記録する光ディスク記録装置であって、上記位相１に対する検出窓生成手段と、上記位相２に対する検出窓生成手段と、同期ロックの状態を示す同期ロックフラグを生成する同期ロックフラグ生成手段と、上記光ディスクへの記録タイミングを生成する記録タイミング生成手段と、を具備し、上記同期ロックフラグ生成手段は、第１の同期パターンが位相１で検出されたとき、または、第２の同期パターンが位相２で検出されたとき、に同期ロックを示す同期ロックフラグを生成し、第１の同期パターンが位相２で検出されたときに同期アンロックを示す同期ロックフラグを生成し、上記記録タイミング生成手段は、同期ロックを示す同期ロックフラグが一定期間連続して検出されたときに、該同期パターンに同期化する光ディスク記録装置により改善される。
【００１１】
【発明の実施の形態】
本発明の一実施例を図を用いて説明する。図１は本発明によるディスク記録装置のブロック図である。図１において１０１はディスクのランドトラック上のプリピットを検出する手段であり、１０２は検出されたプリピットからｅｖｅｎ同期パターンを検出する手段であり、１０３は検出されたプリピットからｏｄｄ同期パターンを検出する手段である。
【００１２】
ｅｖｅｎ同期パターン検出手段１０２は「１１１」のパターンを、ｏｄｄ同期パターン検出手段１０３は「１１０」のパターンをそれぞれパターン検出する。１０４は検出周期カウンタであり、１６×１３ウォブル周期で１周し、ｅｖｅｎ同期パターン検出手段１０２、ｏｄｄ同期パターン検出手段１０３によりそれぞれ同期信号が検出されると、それぞれのパターンが発生すべきタイミングに同期化される。
【００１３】
１０５は検出周期カウンタ１０４により生成され、ｏｄｄ同期パターンが発生すべき場所で開放される検出窓である。１０６は検出周期カウンタ１０４により生成され、ｅｖｅｎ同期パターンが発生すべき場所で開放される検出窓である。１０７はｅｖｅｎ，ｏｄｄ未検出信号発生手段であり、検出周期カウンタ１０４がｅｖｅｎ，ｏｄｄ同期パターンを検出して同期化することなく一定の期間カウントアップすると、ｅｖｅｎ，ｏｄｄ未検出信号を発生させる。未検出数カウンタ１０８はｅｖｅｎ，ｏｄｄ同期パターンが検出されることなしに、連続してｅｖｅｎ，ｏｄｄ未検出信号が発生した回数をカウントする。
【００１４】
１０９は同期未検出数カウント設定値であり、ｅｖｅｎ，ｏｄｄ同期パターン未検出が連続して予め設定した回数に達すると同期ロックフラグリセット信号を生成する。同期ロックフラグ１１０は、１０９からの同期ロックフラグリセット信号、ｏｄｄ窓でゲートされた１０５からのｅｖｅｎ同期パターン検出信号、ｅｖｅｎ窓でゲートされた１０６からのｏｄｄ同期パターン検出信号の何れかでリセットされる。
【００１５】
ゲート回路１１６は同期ロックフラグ１１０がリセットされてアンロック状態の場合に開放される。ゲート回路１１６の開放時、ｅｖｅｎ同期パターン検出手段によって検出されたｅｖｅｎ同期パターン検出信号、ｏｄｄ同期パターン検出手段によって検出されたｏｄｄ同期パターン検出信号、何れかの信号で、同期ロックフラグ１１０はセットされてロック状態となる。
【００１６】
このように同期ロックフラグ１１０は一定期間連続して同期パターンが検出されない場合、ｅｖｅｎ同期パターンが発生すべき場所でｏｄｄ同期パターンが検出された場合、ｏｄｄ同期パターンが発生すべき場所でｅｖｅｎ同期パターンが検出された場合のいずれかでアンロック状態となり、アンロック状態で、同期パターンが検出されるとロック状態となる。
【００１７】
同期ロックフラグチェック範囲生成手段１１１で定められた期間、同期ロックフラグ１１０がロック状態を続ければ、記録タイミングを生成する記録周期カウンタ１１２を、検出周期カウンタに同期化させる。エンコーダ１１３は記録周期カウンタの生成するタイミングに従って、ＤＶＤフォーマットに従ったエンコード処理を行う。エンコードされた信号は、レーザーダイオードドライバー１１４で波形整形されたうえで、レーザーダイオード１１５を駆動する。
【００１８】
以上、本発明の実施例によれば、ｅｖｅｎ同期パターンすなわち「１１１」の最後が欠損してｏｄｄ同期パターンすなわち「１１０」になっても同期ロックフラグ１１０によって保護されるため、記録タイミングの同期化が安定して行われる。
【００１９】
次に、本発明で用いられるランドプリピット信号の例を図２、図３、図４、図５を用いて説明する。図２、図３、図４、図５は全て、図６、図７で示されるＤＶＤ−Ｒ／ＲＷのランドプリピットの規格に従うものである。
【００２０】
図２では２０１の先頭のｅｖｅｎの位置に「ｅｖｅｎ同期パターン」があり、続くｅｖｅｎ位置に「０（バイナリ）」データがある。２０２−２０６では、ｅｖｅｎ位置に「００００００００００（バイナリ）」のデータがある。２０７では最初のｅｖｅｎ位置に「１（バイナリ）」があり、続くｅｖｅｎ位置に「ｅｖｅｎ同期パターン」がある。同様に２０８−２１０ではｅｖｅｎ位置に「０００１００（バイナリ）」がある。
【００２１】
これを図６に照らし合わせると、２０１の「同期パターン」の後、相対アドレス「００００」、データ「０００００００１」、２０７の「同期パターン」の後、相対アドレス「０００１」があることが分かる。
【００２２】
図２では、全てｅｖｅｎの位置にランドプリピットがある場合を示したが、隣接するトラックのランドプリピットが隣接しないように、ｏｄｄ位置を使うことがＤＶＤ−Ｒ規格上定められている。ｏｄｄ位置にもデータを記録した例を図３に示す。これを図６、図７に照らし合わせると、３０１の「同期パターン」の後、相対アドレス「００００」、データ「０００００００１」、３０７の「同期パターン」の後、相対アドレス「０００１」である。図３に示した例では、３０２，３０４，３０５にてｏｄｄ位置のデータが、３０７にてｏｄｄ同期パターンが用いられているが図２に示したデータと同じデータ内容となっている。
【００２３】
次に、フィルタリング処理などの結果、同期パターンが誤認識された例を図４に示す。図４に示す例では、ｅｖｅｎ同期パターンが記録された位置４０７のｅｖｅｎ同期パターン「１１１」の最終パルスが欠けてｏｄｄ同期パターン「１１０」に化けている。従って、ｏｄｄ同期パターンが検出された場所をｏｄｄの位置と認識すると位置認識のずれが生じてしまう。
【００２４】
．図１に示した実施例では、４０１のｅｖｅｎ同期パターンで検出周期カウンタを同期化され、次にｅｖｅｎ同期パターンが発生すべき位置と、ｏｄｄ同期パターンが発生すべき位置の窓が生成される。図４では、ｅｖｅｎ同期パターンが発生すべき位置の窓内でｏｄｄ同期パターンが検出されるので、同期ロックフラグがアンロック状態になる。これによって、記録周期カウンタが検出周期カウンタに同期化されるのは禁止されるので、記録の位置ずれは防止される。
【００２５】
次に、ノイズの混入などににより擬似同期パターンができた例を図５に示す。図５に示す例では、ｏｄｄ同期パターンが記録された位置５０７のｏｄｄ同期パターン「１１０」の最終ビットにノイズで１が立ちｅｖｅｎ同期パターン「１１１」として誤認識されている。従ってｅｖｅｎ同期パターンが検出された場所をｅｖｅｎの位置と認識すると位置認識のずれが生じてしまう。図１に示した実施例では、ｏｄｄ同期パターンが発生すべき位置の窓内でｅｖｅｎ同期パターンが検出されるので、同期ロックフラグがアンロック状態になる。これによって、記録周期カウンタが検出周期カウンタに同期化されるのは禁止されるので、記録の位置ずれは防止される。
【００２６】
次に、検出同期カウンタの動きを図８を用いて説明する。図８は横軸に再生位置を縦軸にカウンタの値をとっている。同図の左端でｅｖｅｎ同期パターン検出により同期化され、カウンタ値は０となる。それからウォブル毎にカウンタ値をカウントアップしていく。１セクタ後、すなわち、２０８ウォブル目（８ウォブル×２×１３）に、次のｅｖｅｎ同期パターンが発生すべき位置となる。従って、カウンタは２０７までカウントアップし、２０８ウォブル目の位置でｅｖｅｎ同期パターンを検出して０に戻り再びカウントアップをおこなう。なお、ｏｄｄ同期パターン検出を基準に次のｏｄｄ同期パターンを検出する際にも同様の処理が行われる。
【００２７】
図９は同様に検出カウンタの動きを示す。左端でｅｖｅｎ同期パターンを検出しカウンタ値は０となり、その後ウォブル毎にカウンタ値をカウントアップしていく。図９では次の同期パターンはｏｄｄ位置にあるため、２１６ウォブル目（１セクタ＋８ウォブル）に次のｏｄｄ同期パターンが発生すべき位置になる。従って、カウント値は２１５までカウントアップした後、８にプリセットされる。なお、ｏｄｄ同期パターン検出を基準に次のｅｖｅｎ同期パターンを検出する際には、ｏｄｄ同期パターンから２００ウォブル目（１セクタ−８ウォブル）が次のｅｖｅｎ同期パターンが発生すべき位置になるため、カウント値は１９９までカウントアップした後、−８にプリセットされる。
【００２８】
次に、記録周期カウンタの同期化について図１０を用いて説明する。図１０はセクタ単位にあるｅｖｅｎ  ｏｒ  ｏｄｄの同期信号ごとの検出状態と、それに対する同期ロックフラグの挙動と、記録周期カウンタの同期化動作を示す。
【００２９】
図１０において、×はｅｖｅｎ同期パターン検出窓でｏｄｄ同期パターンが検出された状態、または、ｏｄｄ同期パターン検出窓でｅｖｅｎ同期パターンが検出された状態を示す。△は２０８ないし２１５ウォブル周期たっても新たな同期パターンを検出できない場合を示す。○はｅｖｅｎ同期パターン検出窓でｅｖｅｎ同期パターンが検出された状態、または、ｏｄｄ同期パターン検出窓でｏｄｄ同期パターンが検出された状態を示す。セクタＮｏ．は図６のｂｉｔ１からｂｉｔ４で示される相対アドレスである。
【００３０】
１００１では左端のセクタ１５で×の状態であり、同期ロックフラグがアンロック状態になる。セクタ１で○状態になり同期ロックフラグがロック状態に復帰する。以降、セクタ０からセクタ１５まで検出状態は○を続け、同期ロックフラグはロック状態が続く。この期間ロック状態を継続すると、記録周期カウンタの同期化が行われる。
【００３１】
次に、図１の同期ロックフラグチェック範囲生成手段１１１で定められた期間の一例を示す。１００２では左端のセクタ１５で×の状態であり、同期ロックフラグがアンロック状態になる。またセクタ１で○状態になり同期ロックフラグがロック状態に復帰する。セクタ４から△状態が８連続続き、セクタ１１で同期ロックフラグがアンロック状態となる。
【００３２】
ここでは、図１のｅｖｅｎ，ｏｄｄ同期パターン未検出が予め設定した回数に達すると同期ロックフラグリセット信号を生成する動作において設定回数が８の場合を示す。この場合セクタ０からセクタ１５の間ロック状態が継続しないので、記録周期カウンタの同期化は行われない。以上、記録周期カウンタの具体的動作を説明した。
【００３３】
なお、本例ではセクタ０から１５の間でロック状態が継続すれば、何回でも同期化するように示しているが、ピックを移動してランドプリピットの読み出しを開始してから、記録するまでの間で、条件が揃った中で最初の一回だけ同期化を行うようにしても良い。同期化する回数を１回に限定することで、誤った同期パターンによってずれる可能性をより小さくできる。
【００３４】
次に、本発明の別の実施例を説明する。図１１は本発明によるディスク記録装置のブロック図である。図１１において１１０１、１１０２を除いた構成は図１と同じである。１１０１はｏｄｄ同期パターンカウンタであり、同期ロックフラグチェック範囲生成手段１１１で定められた範囲でのｏｄｄ同期パターンの数を計数して予め決められた数を越えると、同期ロックフラグ１１０２をリセットしアンロック状態にする。他の動作は図１のディスク記録装置と同様である。本実施例では、ｏｄｄ同期パターンは隣接トラックのｅｖｅｎ同期パターン同士が隣接するときに位置をずらすために本来用いられるため、一定の割合を超えないことを利用したものである。本実施例では、記録時の位置ずれの発生の防止をより強固にできる。
【００３５】
次に、本発明の別の実施例を説明する。図１２は本発明によるディスク記録装置のブロック図である。図１２に於いて１２０１、１２０２、１２０３を除いた構成は図１１と同じである。１２０１は同期検出窓であり、ｅｖｎｅｎ同期パターンもしくはｏｄｄ同期パターンが発生すべき位置で開放する窓である。検出周期カウンタ１２０２は、同期ロックフラグ１１０２がアンロック状態の場合は、同期検出窓１２０１を通らない同期パターンによっても同期化するが、同期ロックフラグがロック状態の場合は、同期パターン検出が、同期検出窓１２０１の中でなされる場合のみ、検出周期カウンタ１２０２の同期化がなされる。なお、この同期検出窓１２０１は検出周期カウンタ１２０２によって生成される。また未検出数カウンタ１２０３は、同期ロックフラグ１１０２がアンロック状態の場合は、同期検出窓１２０１を通らない同期パターンによってもリセットされるが、同期ロックフラグがロック状態の場合は、同期パターン検出が、同期検出窓１２０１の中でなされる場合のみリセットされる。他の動作は図１１のディスク記録装置と同様である。本実施例によれば、データビットを示すランドプリピットがノイズにより擬似同期パターンが発生する場合にも検出周期カウンタ１２０２は擬似同期パターンには同期ロック中は、同期化を行わないため、記録周期カウンタの位置ずれは発生せず、正確な位置での記録を実現する。
【００３６】
次に、本発明の別の実施例を説明する。図１３は本発明によるディスク記録装置のブロック図である。図１３に於いて１３０１、１３０２、１３０３を除いた構成は図１１と同じである。１３０１は同期検出窓１２０１の反転信号であり、本来同期信号が検出されるべきではない位置で窓を開放する。反転窓１３０１は検出周期カウンタ１３０２によって生成される。反転窓１３０１を通って検出された同期パターンによって、同期ロックフラグ１３０３はリセットされアンロック状態になる。従って反転窓を通る同期パターンが検出されても、記録周期カウンタは同期化されないため、誤って同期化されることがない。
【００３７】
【発明の効果】
本発明によればｅｖｅｎ同期パターンがｏｄｄ同期パターンとして誤検出された場合、または、ｏｄｄ同期パターンがｅｖｅｎ同期パターンとして誤検出された場合でも、記録位置ずれの発生を防止することができる。
【図面の簡単な説明】
【図１】本発明の一実施例である光学ディスク記録装置。
【図２】本発明で扱うランドプリピット信号の一例のタイムチャート。
【図３】本発明で扱うランドプリピット信号の一例のタイムチャート。
【図４】本発明で扱うランドプリピット信号の一例のタイムチャート。
【図５】本発明で扱うランドプリピット信号の一例のタイムチャート。
【図６】ＤＶＤ−Ｒ規格に基づくランドプリピット信号のデータフォーマット。
【図７】ＤＶＤ−Ｒ規格に基づくランドプリピット信号のデータフォーマット。
【図８】実施例の同期検出周期カウンタのタイムチャート。
【図９】実施例の同期検出周期カウンタのタイムチャート。
【図１０】実施例の記録周期カウンタのタイムチャート。
【図１１】本発明の一実施例である光学ディスク記録装置。
【図１２】本発明の一実施例である光学ディスク記録装置。
【図１３】本発明の一実施例である光学ディスク記録装置。
【符号の説明】
１０２…ｅｖｅｎ同期パターン検出手段、１０３…ｏｄｄ同期パターン検出手段、１０５…ｏｄｄ同期パターン検出窓、１０６…ｅｖｅｎ同期パターン検出窓、１０４…検出周期カウンタ、１１０…同期ロックフラグ、１１２…記録周期カウンタ
【図１】
2004273054.tif 000003
【図２】
2004273054.tif 000004
【図３】
2004273054.tif 000005
【図４】
2004273054.tif 000006
【図５】
2004273054.tif 000007
【図６】
2004273054.tif 000008
【図７】
2004273054.tif 000009
【図８】
2004273054.tif 000010
【図９】
2004273054.tif 000011
【図１０】
2004273054.tif 000012
【図１１】
2004273054.tif 000013
【図１２】
2004273054.tif 000014
【図１３】
2004273054.tif 000015